(57)【要約】【課題】  ランドセルが重い場合でも使用者の背中に密着するようにし、しかも連結部の強度を従来の連結鐶を備えたものと同程度にする。【解決手段】  ランドセルの背当て板の上部に揺動自在に設けられる左右一対のレバー状の取り付け具１１と、それらの取り付け具の上端に固定された台形状の金属製の連結鐶１２と、その連結鐶１２の上辺２３に折り返して連結された背負いベルト１３とを備え、連結鐶１２の下辺１９に扁平部２４が設けられ、その連結鐶１２が合成樹脂製の取り付け具１１にインサート成形で固定され、連結鐶１２の端部２２が上辺２３から上向きに突出するように折り曲げられて背負いベルト１３の回動を拘束しているベルト取り付け構造１０。【選択図】  図１
0003105849.tif 000002
【実用新案登録請求の範囲】
【請求項１】
背当て板の上部に設けられる左右一対の背負いベルトの取り付け具と、その取り付け具の上端に下辺が連結された三角形状ないし台形状を呈する金属製の連結鐶と、その連結鐶の上辺に連結された背負いベルトと、前記連結鐶と取り付け具との回動を拘束する手段と、前記連結鐶と背負いベルトとの回動を拘束する手段とを備えたランドセルのベルト取り付け構造。
【請求項２】
前記背負いベルトの端部近辺が連結鐶の前記上辺を包むように折り返されて背負いベルトの他の部分に縫いつけられている請求項１記載のベルト取り付け構造。
【請求項３】
前記連結鐶の下辺に扁平な膨大部が設けられ、その連結鐶が合成樹脂製の取り付け具にインサート成形で一体にされることにより、連結鐶の下辺と取り付け具との回動が拘束されている請求項１記載のベルト取り付け構造。
【請求項４】
前記連結鐶の上辺に略上向きに突出する突出部が形成され、その突出部が背負いベルトの端部近辺に固定されることにより、ベルトと連結鐶の上辺との回動が拘束されている請求項１記載のベルト取り付け構造。
【請求項５】
前記突出部の先端部がランドセルの前側に湾曲ないし屈曲している請求項４記載のベルト取り付け構造。
【請求項６】
前記背負いベルトの端部近辺に弾性シートが介装されている請求項１記載のベルト取り付け構造。
【請求項７】
前記背負いベルトの端部近辺に弾性シートが介装されており、その弾性シートの根元部に前記連結鐶の突出部と嵌合する嵌合穴が形成されている請求項４記載のベルト取り付け構造。
【請求項８】
背当て板の上部に設けられる左右一対の背負いベルトの取り付け具と、その取り付け具の上端に下辺が連結された三角形状ないし台形状を呈する金属製の連結鐶と、その連結鐶の上辺に連結された背負いベルトとを備え、
前記背負いベルトの端部近辺が連結鐶の上辺を包むように折り返されて背負いベルトの他の部分に縫いつけられており、
前記連結鐶の下辺に扁平な膨大部が設けられ、その連結鐶が合成樹脂製の取り付け具にインサート成形で一体にされることにより前記連結鐶の下辺が取り付け具に固定されており、
前記連結鐶の上辺に、略上向きに突出する突出部が形成され、その突出部が背負いベルトの端部近辺に固定されているランドセルのベルト取り付け構造。
【請求項９】
前記取り付け具が、ランドセルの背当て板の上部に固定されたベースに対して揺動自在に設けられる左右一対のレバーである請求項１、２、３、４、５、６、７または８記載のベルト取り付け構造。
【請求項１０】
クッション材を備えた背当て板を有するランドセル本体と、請求項１、２、３、４、５、６、７、８または９記載のベルト取り付け構造と、そのベルト取り付け構造の背負いベルトの他端をランドセル本体の下端の両側に連結する連結部材とを備えているランドセル。
【考案の詳細な説明】
【技術分野】
【０００１】
本考案はランドセルの本体に背負いベルトを連結するためのベルト取り付け構造およびそれを備えたランドセルに関する。
【背景技術】
【０００２】
【特許文献１】実用新案登録第３００６２０９号公報
【特許文献２】特開２００３−３３９４１９号公報
【０００３】
特許文献１には、前後に分かれた函体と、下端部がその函体内に回動自在に設けられる左右一対のレバーと、それらのレバーの上端に連結される略三角形状の連結鐶と、その連結鐶に一端が回動自在に連結される背負いベルトとを備えたランドセルのベルト留め具が開示されている。函体およびレバーは金属薄板をプレス成形したものであり、軽量に、かつ薄く構成できる利点がある。
【０００４】
前記連結鐶は金属線を略三角形状に折り曲げて構成したものであり、両端はほぼ連続するように向かい合わせの状態で、通常はレバー内に隠されている。このベルト留め具では、レバーが左右に揺動するので、使用する学童の成長に応じて背負いベルトの上端の取り付け間隔が広がり、窮屈さを緩和する利点がある。また、背負いベルトの上端はランドセルの本体に対して回動自在に連結されるので、容易に背負ったり、降ろしたりすることができる。
【０００５】
他方、特許文献２には、左右の揺動レバーの上端に背負いベルトの端部を収容する箱状の挿入部を形成し、背負いベルトの端部を嵌入した上で、２本のリベットを貫通させて回動しないように固定したランドセルが開示されている。このランドセルでは、さらに背負いベルトを構成する上層体と下層体の間に、弾性合成樹脂板、弾性金属板、弾性線材などの弾性部材を挟み込んでいる。それにより背負いベルトの端部近辺はレバーの上端から上方に延び、弾性部材の上端近辺から緩くカーブして下に向かうようになるので、ランドセルが使用者の背中に密着し、重量をあまり感ずることがなく、使用感がよいとされている。
【考案の開示】
【考案が解決しようとする課題】
【０００６】
前記特許文献１のベルト留め具を用いる場合は、連結鐶を介してレバーと背負いベルトとが連結されるので、連結部分の強度が高い。しかし背負いベルトがランドセル本体に対して回動自在であるので、ランドセルの重量が重い場合には、肩からずり下がったり、背中から離れたりしがちである。他方、特許文献２のランドセルは、レバーの上端の挿入部が薄肉の箱状に形成され、挿入した背負いベルトと共に挿入部の前後を貫通するリベットで固定しているので、レバーを合成樹脂で形成する場合に強度が不足しがちである。また、ベルトの強度も不足しがちになる。
【０００７】
本考案は前記従来技術の問題に鑑み、ランドセルが重い場合でも使用者の背中に密着するようにし、しかも連結部の強度を従来の連結鐶を備えたものと同程度にすることを技術課題としている。
【課題を解決するための手段】
【０００８】
本考案のランドセルのベルト取り付け構造は、背当て板の上部に設けられる左右一対の背負いベルトの取り付け具と、その取り付け具の上端に下辺が連結された三角形状ないし台形状を呈する金属製の連結鐶と、その連結鐶の上辺に連結された背負いベルトと、前記連結鐶と取り付け具との回動を拘束する手段と、前記連結鐶と背負いベルトとの回動を拘束する手段とを備えていることを特徴としている。
【０００９】
このようなベルト取り付け構造においては、前記背負いベルトの端部近辺が連結鐶の前記上辺を包むように折り返されて背負いベルトの他の部分に縫いつけられているものが好ましい。さらに前記連結鐶の下辺に扁平な膨大部が設けられ、その連結鐶が合成樹脂製の取り付け具にインサート成形で一体にされることにより、連結鐶の下辺と取り付け具との回動が拘束されているものが好ましい。
【００１０】
さらに前記連結鐶の上辺に略上向きに突出する突出部が形成され、その突出部が背負いベルトの端部近辺に固定されることにより、ベルトと連結鐶の上辺との回動が拘束されているものが好ましい。その場合は前記突出部の先端部がランドセルの前側に湾曲ないし屈曲しているものがさらに好ましい。また、前記背負いベルトの端部近辺に弾性シートが介装されているものが好ましい。さらに前記背負いベルトの端部近辺に弾性シートが介装されており、その弾性シートの根元部に前記連結鐶の突出部と嵌合する嵌合穴が形成されているものが一層好ましい。
【００１１】
また、背当て板の上部に設けられる左右一対の背負いベルトの取り付け具と、その取り付け具の上端に下辺が連結された三角形状ないし台形状を呈する金属製の連結鐶と、その連結鐶の上辺に連結された背負いベルトとを備え、前記背負いベルトの端部近辺が連結鐶の上辺を包むように折り返されて背負いベルトの他の部分に縫いつけられており、前記連結鐶の下辺に扁平な膨大部が設けられ、その連結鐶が合成樹脂製の取り付け具にインサート成形で一体にされることにより前記連結鐶の下辺が取り付け具に固定されており、前記連結鐶の上辺に、略上向きに突出する突出部が形成され、その突出部が背負いベルトの端部近辺に固定されているものが好ましい。
【００１２】
前記いずれの場合でも、前記取り付け具が、ランドセルの背当て板の上部に固定されたベースに対して揺動自在に設けられる左右一対のレバーであるものが好ましい。
【００１３】
本考案のランドセルは、クッション材を備えた背当て板を有するランドセル本体と、前記いずれかのベルト取り付け構造と、そのベルト取り付け構造の背負いベルトの他端をランドセル本体の下端の両側に連結する連結部材とを備えていることを特徴としている。
【考案の効果】
【００１４】
本考案のベルト取り付け構造は、背負いベルトと取り付け具とを金属製の連結鐶で連結しているので、連結部の強度が高い。さらに連結鐶と取り付け具との間および連結鐶と背負いベルトの間がそれぞれ拘束手段によって回動が拘束されているので、背負いベルトの上部が上向きに保持される。それにより背当て板が使用者の背中に密着しやすく、装着感がよい。
【００１５】
前記背負いベルトの端部近辺が連結鐶の上辺を包むように折り返されて背負いベルトの他の部分に縫いつけられている場合は、連結鐶と背負いベルトの連結部の強度が一層高い。また、前記連結鐶の下辺に扁平な膨大部が設けられ、その連結鐶が合成樹脂製の取り付け具にインサート成形で一体にされることにより、連結鐶の下辺と取り付け具との回動が拘束されている場合は、連結鐶と取り付け具とが強固に結合され、回動の拘束が確実である。
【００１６】
前記連結鐶の上辺に略上向きに突出する突出部が形成され、その突出部が背負いベルトの端部近辺に固定されることにより、ベルトと連結鐶の上辺との回動が拘束されている場合は、連結鐶と背負いベルトとの回動がしっかりと拘束される。さらに上向きに延びる背負いベルトが突出部によって上向きの状態にしっかりと保持される。連結鐶に前記突出部が設けられ、その突出部の先端部がランドセルの前側に湾曲ないし屈曲している場合は、上向きに延びた背負いベルトが自然な状態で前側に湾曲するので、ランドセルを背負いやすい。
【００１７】
背負いベルトの端部近辺に弾性シートが介装されている場合は、弾性シートが背負いベルトの端部近辺に適切な撓み性および弾力性を付与するので、装着感がよい。前記背負いベルトの端部近辺に弾性シートが介装されており、その弾性シートの根元部に前記連結鐶の突出部と嵌合する嵌合穴が形成されている場合は、弾性シートが突出部によって支持されるので、背負いベルトの端部を上向きにしっかり保持することができると共に、弾性シートによる弾力的な保持に連続するので、背負いベルトの装着感が一層高くなる。
【００１８】
前記取り付け具が、ランドセルの背当て板の上部に固定されたベースに対して揺動自在に設けられる左右一対のレバーである場合は、使用者の成長に応じて背負いベルトの上端の幅が広がるので、装着感が一層向上する。
【００１９】
本考案のランドセルは、背当て板にクッションが設けられ、さらに前述のベルト取り付け構造を備えているので、一層装着感がよく、ベルトの連結部の強度が高い。
【考案を実施するための最良の形態】
【００２０】
つぎに図面を参照しながら本考案のベルト取り付け構造およびランドセルの実施の形態を説明する。図１は本考案のベルト取り付け構造の一実施形態を示す要部斜視図、図２はそのベルト取り付け構造の一部切り欠き正面図、図３ａは図１のベルト取り付け構造における連結鐶の正面図、図３ｂは図３ａのIIIａ−IIIａ線断面図、図３ｃ図３ａのIIIｂ−IIIｂ線断面図、図４ａは図１のベルト取り付け構造における弾性シートの正面図、図４ｂは図４ａのIV−IV線断面図、図４ｃは図４ａの底面図、図５ａは図２のＶ-Ｖ線断面図、図５ｂは図５ａにおける背負いベルトと連結鐶の連結前の状態を示す斜視図、図６は本考案のベルト取り付け構造を備えたランドセルの一実施形態を示す斜視図、図７は本考案のベルト取り付け構造の他の実施形態を示す要部斜視図である。
【００２１】
図１は、図２に示すベルト取り付け構造１０の片側部分を拡大して示したものであり、レバー状の取り付け具１１と、その取り付け具の上端に連結された略台形状の連結鐶１２と、その連結鐶に一端が取り付けられた背負いベルト１３と、背負いベルト内に埋め込まれている弾性シート１４とからなる。弾性シート１４は省略することもできる（図７参照）。
【００２２】
前記取り付け具１１は、図２に示すように、左右一対で設けられるレバー状の部材であり、合成樹脂により成形されている。取り付け具１１の下部は上端がスリット状に開口しているケース１５内に収容され、下端がピン１６によって回動自在に連結されている。さらにバネ１７により、中央側に付勢されている。この合成樹脂製の取り付け具１１は、上端の連結鐶１２との連結部１８を除いて従来公知のものである。すなわち従来の取り付け具１１の連結部１８は、連結鐶１２の下辺１９と回動自在に嵌合しているが、この取り付け具１１では、連結鐶１２の下辺１９をインサート成形で固定している。なお、図２の符号２０はランドセルをフックなどに引っかけるための引っかけ鐶である。
【００２３】
前記連結鐶１２は図３ａに示すように、金属の線材を折り曲げて略台形状の環状に形成したものであり、線材の両端部２２は上辺２３のほぼ中央に位置し、上向きに折り曲げられて互いに溶接されている。ただし金属板から加工することもできる。両端部２２は上辺２３から略上方にに突出する突出部であり、この実施形態では図３ｂに示すように、いくらか前方に傾斜ないし湾曲している。ただし上辺２３に対してほぼ直角に真っ直ぐに突出していてもよい。この両端部２２は、背負いベルト１３を取り付けたとき、その端部近辺と結合して、背負いベルト１３を上向きに支持する部位である。両端部２２の長さは、５〜２０ｍｍ程度が好ましいが、それ以上であってもよい。とくに弾性シート１４を省略する場合は、長くするのが好ましい。
【００２４】
連結鐶１２の下辺１９には扁平に押し潰した扁平部２４が形成され、その扁平部に貫通孔２５を形成している。この実施形態では貫通孔２５は３個である。ただし１個あるいは２個でもよい。このように下辺１９に扁平部２４を設けているので、連結鐶１２を取り付け具１１にインサート成形すると、取り付け具１１に対して回動しなくなる。すなわち扁平部２４は回動を拘束する手段となっている。また、貫通孔２５に入り込んだ合成樹脂が前後の合成樹脂層同士を連結するので、取り付け具１１と連結鐶１２との結合が一層確実になる。この実施形態では、連結鐶１２の左辺２６および右辺２７も、扁平に加工してデザインを向上させている（図３ｃ参照）。下辺１９の扁平部２４ならびに左辺２６および右辺２７の扁平部は同時にプレス成形などにより形成することができる。
【００２５】
前記弾性シート１４は、図４ａ、図４ｂに示すように、下端側（連結鐶に近い側）が厚く、上端に向かって次第に薄くなっている。さらに上端では、図２に示すように、外側が長く、内側が短い羽根状にされており、中央部は凹陥している。それにより両側端の縫い付けをしっかりすると共に、上端の弾性反発力が小さくなる。そして根元部２８近辺には、背負いベルト１３の折り返し部分と共に鋲止めするための貫通孔２９が形成されている。なお、弾性シート１４にあらかじめ貫通孔２９を設けず、背負いベルト１３の端部を折り返して鋲止めするときに一緒に穿孔してもよい。この実施形態では貫通孔２９は左右一対で形成されているが、中央に１個設けてもよい。さらに根元部２８の下端中央部には膨大部３０が形成され、その膨大部３０に連結鐶の端部２２を嵌合する穴３１が形成されている。その穴３１は下端面側に開口しており、たとえば図４ｃに示すように小判状の断面を有する。弾性シート１４は合成樹脂、とくに合成樹脂エラストマーから形成するのが好ましい。
【００２６】
前記背負いベルト１３は図２に示すように左右の連結鐶１２にそれぞれ連結される。図１および図５ａに示すように、この実施形態では従来のものと同様に、背負いベルト１３の端部を連結鐶１２の内部に通し、折り返して他の部分と糸３２で縫い合わせることにより、先端に連結鐶１２の上辺２３に掛け回されている。さらにこの実施形態では弾性シート１４を含めた背負いベルト１３の全体を鋲（リベット）３３で固定している。背負いベルト１３は図５ａおよび図５ｂに示すように、天然皮革または合成皮革からなる厚手の表面シート３５と、天然皮革または合成皮革からなる柔軟で薄い裏面シート３６と、両者の間に介在される発泡樹脂シートなどからなるクッション材３７とを備えた３層構造になっている。
【００２７】
この実施形態では図５ｂに示すように、裏面シート３６の両側縁３６ａはクッション材３７の側縁を包んで折り返し、表面シート３５とクッション材３７の間に縫い込んでいる。弾性シート１４は、背負いベルト１３のクッション材３７と裏面シート２９の間に挟んで一体に縫いつけている。裏面シート３６の折り目近辺には、連結鐶１２の両端部２２を通すための孔３６ｂが貫通している。両端部２２はその孔３６ｂに挿入され、内部の弾性シート１４の穴３１に挿入される。そしてこの状態で矢印のように背負いベルト１３の先端側が折り返され、図５ａに示すように、糸３２や鋲３３で他の部分に対して固定する。
【００２８】
このように連結鐶１２に縫いつけた背負いベルト１３は、前述の上向きに折り曲げた端部２２があるため、連結鐶１２に対してほとんど回動せず、上向きに延びる形態で保持される。このようにこの実施形態では、折り曲げた端部２２は回動を拘束する手段となっている。なお、背負いベルト１３の折り返した部分を他の部分に固定する鋲３３は、連結鐶１２の上辺２３よりかなり上方に、とくに折り曲げた端部（突出部）２２よりも上方に位置する方が好ましく、それにより背負いベルト１３の根元部２８近辺を上に向けた状態でしっかり支持することができる。
【００２９】
上記のように構成されるベルト取り付け構造１０は、図６に示すように、従来のベルト取り付け構造と同様にランドセル４１に取り付けて用いられる。すなわちランドセル４１の本体４１ａの前面側に設けられる背当て板４２の上部に、ケース１５によって揺動自在に支持される左右一対のレバー状の連結具１１を設け、連結鐶１２を介して背負いベルト１３の上端を取り付け、それらの背負いベルト１３の下端を、ランドセル４１の本体４１ａの底板４３に左右一対で設けられる連結部材（いわゆるダルマ鐶）に取り付ける。連結部材は底板に固定されるベースと、そのベースに対して垂直の軸回りに回動自在の取り付け部とを有し、背負いベルト１３の下端の連結鐶を取り付け部に対して回動自在に連結する従来公知のものである。背負いベルト１３の下部には、公知の長さ調節部４４が設けられている。背当て板４２には、通常は下部および両側部にクッション材４５が設けられている。
【００３０】
上記のように構成されるランドセル４１は、連結具１１に対して連結鐶１２が上向きに延びた状態で回動しないように固定され、その連結鐶１２に背負いベルト１３が上向きに延びるように、かつ、回動しないように取り付けられる。そのため背負いベルト１３の上端を背負いベルト１３自体の弾力性で撓みを許しながら上向きに保持する。そして弾性シート（図１の符号１４）を有する場合は、さらに適切な撓み性と弾力性を付与する。それによりランドセル４１の本体４１ａはずり下がりにくくなり、背当て板４２のクッション材４５と相まって、ランドセル４１は使用者の背中に密着し、すぐれた装着感をもたらす。なお、背当て板４２の中央部にはクッション材４５が設けられていないので、通気性がよく、蒸れることがない。
【００３１】
そして連結具１１と背負いベルト１３とは、金属製の棒を折り曲げ成形した連結鐶１２によってしっかりと連結されるので、連結強度が高い。とくに背負いベルト１３は連結鐶１２に対し、従来の取り付け方法とほぼ同じように、折り返しと糸３２による縫いつけにより連結することができるので、背負いベルト１３にねじれなどの無理な力が加わりにくく、耐久性が高い。また、連結具１１を合成樹脂製とする場合でも、連結鐶１２をインサート成形することにより一体化を図ることができ、連結具１１に強度上の不安はない。
【００３２】
図７に示すベルト取り付け構造５０は、図１のベルト取り付け構造における弾性シート１４を備えていない。さらに連結鐶１２の上方に折り曲げた端部２２を図１の場合よりも長くしている。他の点は図１のベルト取り付け構造１０と実質的に同一である。このものも折り曲げた端部２２があるため、回動が拘束される。さらに端部２２が上向きに延びているので、背負いベルト１３の上端近辺が上向きに延びた状態に保持され、背負った場合の装着感がよい。なお、このものは弾性シート１４を備えていないため、連結鐶１２の折り曲げた端部２２は、背負いベルト１３の折り返した部分と他の部分の間に挟み込むようにしてもよい。ただし図５ｂの場合と同様に、裏面シート３６の折り目近辺に孔３６ｂを形成し、その孔３６ｂに両端部２２を通すようにしてもよい。
【００３３】
なお、図１、図７のいずれの場合の連結鐶１２も、折り曲げた端部２２同士を密着させているが、間隔を開けてもよい。また、扁平にすることもできる。また、図１の連結鐶１２では、上辺２３に折り曲げた両端部２２を配置しており、その両端部２２で背負いベルト１３の回動を拘束しているが、他の方法で回動を拘束することもできる。
【図面の簡単な説明】
【００３４】
【図１】本考案のベルト取り付け構造の一実施形態を示す要部斜視図である。
【図２】そのベルト取り付け構造の一部切り欠き正面図である。
【図３】図３ａは図１のベルト取り付け構造における連結鐶の正面図、図３ｂは図３ａのIIIａ−IIIａ線断面図、図３ｃは図３ａのIIIｂ−IIIｂ線断面図である。
【図４】図４ａは図１のベルト取り付け構造における弾性シートの正面図、図４ｂは図４ａのIV−IV線断面図、図４ｃは図４ａの底面図である。
【図５】図５ａは図２のＶ-Ｖ線断面図、図５ｂは図５ａにおける背負いベルトと連結鐶の連結前の状態を示す斜視図である。
【図６】本考案のベルト取り付け構造を備えたランドセルの一実施形態を示す斜視図である。
【図７】本考案のベルト取り付け構造の他の実施形態を示す要部斜視図である。
【符号の説明】
【００３５】
１０  ベルト取り付け構造
１１  取り付け具
１２  連結鐶
１３  背負いベルト
１４  弾性シート
１５  ケース
１６  ピン
１７  バネ
１８  連結部
１９  下辺
２０  引っかけ鐶
２２  両端部
２３  上辺
２４  扁平部
２５  貫通孔
２６  左辺
２７  右辺
２８  根元部
２９  貫通孔
３０  膨大部
３１  穴
３２  糸
３３  鋲
３５  表面シート
３６  裏面シート
３６ａ  両側縁
３６ｂ  孔
３７  クッション材
４１  ランドセル
４１ａ  本体
４２  背当て板
４３  底板
４４  長さ調節部
４５  クッション材
５０  ベルト取り付け構造
【図１】
0003105849.tif 000003
【図２】
0003105849.tif 000004
【図３】
0003105849.tif 000005
【図４】
0003105849.tif 000006
【図５】
0003105849.tif 000007
【図６】
0003105849.tif 000008
【図７】
0003105849.tif 000009